【手続補正書】
【提出日】平成17年3月11日(2005.3.11)
【手続補正１】
【補正対象書類名】特許請求の範囲
【補正対象項目名】全文
【補正方法】変更
【補正の内容】
【特許請求の範囲】
【請求項１】
移動局とワイアレスネットワークとの間の通信のために単一のポイントツーポイントプロトコル（ＰＰＰ）レイヤを設置する、
第１のサービスグレードにより特徴付けられた第１の高周波リンクプロトコル（ＲＬＰ）レイヤを使用して上記単一のＰＰＰレイヤを経由してデータを送信し、かつ受信する、及び
第２のサービスグレードにより特徴付けられた第２のＲＬＰレイヤを使用して上記単一のＰＰＰレイヤを経由してデータを送信し、かつ受信する、ここで、第１のサービスグレードは第２のサービスグレードと異なる、
ためのプロセッサにより実行可能な命令を記憶するコンピュータ読み取り可能なメディア。
【請求項２】
第１のサービスグレードに基づいた第１のバッファサイズを有する第１のバッファを設置する、及び
第２のサービスグレードに基づいた第２のバッファサイズを有する第２のバッファを設置する、
ためのさらなる命令を記憶する、請求項１のコンピュータ読み取り可能なメディア。
【請求項３】
第１のバッファは再送信及び再シーケンシングバッファを含み、第２のバッファは再送信及び再シーケンシングバッファを含まない、請求項２のコンピュータ読み取り可能なメディア。
【請求項４】
上記ＰＰＰレイヤと上記第１及び第２のＲＬＰレイヤとの間に配置された、単一の高水準データリンク制御（ＨＤＬＣ）レイヤを設置するためのさらなる命令を記憶する、請求項１のコンピュータ読み取り可能なメディア。
【請求項５】
ＨＤＬＣフレーム全体を上記ＨＤＬＣレイヤに供給するために、上記ＨＤＬＣレイヤと上記第１のＲＬＰレイヤとの間に配置された、第１のデフレーマレイヤを設置する、
ためのさらなる命令を記憶する、請求項４のコンピュータ読み取り可能なメディア。
【請求項６】
上記ＰＰＰレイヤと上記第１のＲＬＰレイヤとの間に配置された、第１の高水準データリンク制御（ＨＤＬＣ）レイヤを設置する、及び
上記ＰＰＰレイヤと上記第２のＲＬＰレイヤとの間に配置された、第２の高水準データリンク制御（ＨＤＬＣ）レイヤを設置する、
ためのさらなる命令を記憶する、請求項１のコンピュータ読み取り可能なメディア。
【請求項７】
制御プロセッサ及びメモリを具備する移動局装置、ここで、制御プロセッサは、
移動局に関する単一のポイントツーポイントプロトコル（ＰＰＰ）レイヤを設置する、
少なくとも２の異なるサービスグレードにより特徴付けられた少なくとも２のラジオリンクプロトコル（ＲＬＰ）レイヤを使用する上記単一のＰＰＰレイヤを経由してデータを送信し、かつ受信する、
ためのメモリ中の命令を実行するために構成される。
【請求項８】
第１及び第２のＲＬＰレイヤにより生成されたＲＬＰフレームを変調するためのワイアレスモデム、をさらに具備する請求項７の移動局装置。
【請求項９】
第１及び第２のＲＬＰレイヤにより生成されたＲＬＰフレームを変調するためのＣＤＭＡワイアレスモデム、をさらに具備する請求項７の移動局装置。
【請求項１０】
異なるサービスグレードが高信頼性サービスグレード及び低待機時間サービスグレードを含む、請求項７の移動局装置。
【請求項１１】
上記命令は、上記少なくとも２のＲＬＰレイヤの各々に対するバッファを設置する、をさらに具備する、請求項７の移動局装置、ここで、各バッファのサイズが対応するＲＬＰレイヤのサービスグレードに基づく。
【請求項１２】
対応するＲＬＰレイヤが高信頼性の場合に限り、各バッファは再送信及び再シーケンシングバッファを含む、請求項１１の移動局装置。
【請求項１３】
その命令は、上記ＰＰＰレイヤと上記少なくとも２のＲＬＰレイヤとの間に配置された、単一の高水準データリンク制御（ＨＤＬＣ）レイヤを設置する、をさらに具備する、請求項７の移動局装置。
【請求項１４】
制御プロセッサ及びメモリを具備するパケット制御機能（ＰＣＦ）装置、ここで、制御プロセッサは、
第１のサービスグレードにより特徴付けられた第１のラジオリンクプロトコル（ＲＬＰ）レイヤを設置する、
第１のサービスグレードとは異なる第２のサービスグレードにより特徴付けられた第２のＲＬＰレイヤを設置する、
第１のＲＬＰレイヤを経由して移動局からデータを受信する、及び
第２のＲＬＰレイヤを経由して移動局からデータを受信する、
ためのメモリ中に記憶された命令を実行するために構成される。
【請求項１５】
請求項１４のＰＣＦ装置、ここで、そのプロセッサは、
第１の高水準データリンク制御（ＨＤＬＣ）フレームを認識するために第１のＲＬＰレイヤを経由して受信したデータをデフレーミングする、
第２のＨＤＬＣフレームを認識するために第２のＲＬＰレイヤを経由して受信したデータをデフレーミングする、
パケットデータサービングノード（ＰＤＳＮ）に第１のＨＤＬＣフレームを供給する、及び
ＰＤＳＮに第２のＨＤＬＣフレームを供給する、
ために構成される。
【請求項１６】
請求項１４のＰＣＦ装置、ここで、そのプロセッサは、
パケットデータサービングノード（ＰＤＳＮ）において第１の高水準データリンク制御（ＨＤＬＣ）レイヤに第１のＲＬＰレイヤを経由して受信したデータを供給する、及び
ＰＤＳＮにおいて第２のＨＤＬＣレイヤに第２のＲＬＰレイヤを経由して受信したデータを供給する、
ために構成される。
【請求項１７】
第１のサービスグレードにより特徴付けられた第１のラジオリンクプロトコル（ＲＬＰ）レイヤを設置するため、第１のサービスグレードとは異なる第２のサービスグレードにより特徴付けられた第２のＲＬＰレイヤを設置するため、第１のＲＬＰレイヤを経由して移動局からデータを受信するため、及び第２のＲＬＰレイヤを経由して移動局からデータを受信するためのパケット制御機能（ＰＣＦ）、及び
第１及び第２のＲＬＰレイヤを経由して受信したデータからＩＰパケットを抽出するため、及びＩＰパケットをインターネットに供給するためのパケットデータサービングノード（ＰＤＳＮ）、
を具備するワイアレスネットワーク。
【請求項１８】
移動局に接続した単一のポイントツーポイントプロトコル（ＰＰＰ）接続に付随した単一の高水準データリンク制御（ＨＤＬＣ）レイヤを経由して受信したデータからＩＰパケットを抽出するためのパケットデータサービングノード（ＰＤＳＮ）、及び
第１のサービスグレードにより特徴付けられた第１のラジオリンクプロトコル（ＲＬＰ）レイヤを設置するため、第１のサービスグレードとは異なる第２のサービスグレードにより特徴付けられた第２のＲＬＰレイヤを設置するため、第１のＨＤＬＣフレームを認識するために第１のＲＬＰレイヤを経由して受信したデータをデフレーミングするため、第２のＨＤＬＣフレームを認識するために第２のＲＬＰレイヤを経由して受信したデータをデフレーミングするため、単一のＨＤＬＣレイヤに第１のＨＤＬＣフレームを供給するため、及び単一のＨＤＬＣレイヤに第１のＨＤＬＣフレームを供給した後に、単一のＨＤＬＣレイヤに第２のＨＤＬＣフレームを供給するためのパケット制御機能（ＰＣＦ）、
を具備するワイアレスネットワーク。
【請求項１９】
移動局とワイアレスネットワークとの間の通信のための単一のポイントツーポイントプロトコル（ＰＰＰ）レイヤを設置する、
少なくとも２のサービスグレードにより特徴付けられた少なくとも２のラジオリンクプロトコル（ＲＬＰ）レイヤを使用する上記単一のＰＰＰレイヤを経由してデータを送信し、かつ受信する、
を具備するパケットデータサービスを提供する方法。
【請求項２０】
上記少なくとも２のＲＬＰレイヤの各々に対してバッファを設置する、を具備する、請求項１９の方法、ここで、各バッファのサイズが対応するＲＬＰレイヤのサービスグレードに基づく。
【請求項２１】
上記ＰＰＰレイヤと上記少なくとも２のＲＬＰレイヤとの間に配置された、単一の高水準データリンク制御（ＨＤＬＣ）レイヤを設置する、をさらに具備する、請求項１９の方法。
【請求項２２】
上記ＨＤＬＣレイヤにＨＤＬＣフレーム全体を供給するために、上記ＨＤＬＣレイヤと上記第１のＲＬＰレイヤとの間に配置された、第１のデフレーマレイヤを設置する、をさらに具備する請求項２１の方法。
【請求項２３】
少なくとも２の高水準データリンク制御（ＨＤＬＣ）レイヤを設置する、をさらに具備する請求項２０の方法、ここで、１のＨＤＬＣレイヤは上記ＰＰＰレイヤと上記少なくとも２のＲＬＰレイヤの各々の間に配置される。
【請求項２４】
移動局において、移動局とワイアレスネットワークとの間の通信のために単一のポイントツーポイントプロトコル（ＰＰＰ）レイヤを設置する、
移動局において、第１のＰＰＰパケットを生成するために遅延に敏感なアプリケーションに付随したＩＰパケットをカプセル化するために単一のＰＰＰレイヤを使用する、
移動局において、第２のＰＰＰパケットを生成するために遅延に鈍感なアプリケーションに付随したＩＰパケットをカプセル化するために単一のＰＰＰレイヤを使用する、
移動局において、ワイアレスネットワークに低待機時間ラジオリンクプロトコル（ＲＬＰ）レイヤを経由して第１のＰＰＰパケットを送信する、及び
移動局において、ワイアレスネットワークに高信頼性ＲＬＰレイヤを経由して第２のＰＰＰパケットを送信する、
を具備するパケットデータサービスを提供する方法。
【請求項２５】
移動局において、第１のＰＰＰパケットを送信する前に移動局においてＨＤＬＣレイヤを使用する第１の高水準データリンク制御（ＨＤＬＣ）フレームに第１のＰＰＰパケットを変換する、及び
移動局において、第２のＰＰＰパケットを送信する前に移動局においてＨＤＬＣレイヤを使用する第２のＨＤＬＣフレームに第２のＰＰＰパケットを変換する、
をさらに具備する請求項２４の方法。
【請求項２６】
パケット制御機能（ＰＣＦ）において、低待機時間ラジオリンクプロトコル（ＲＬＰ）レイヤを経由して移動局から第１のデータバイトセットを受信する、
ＰＣＦにおいて、高信頼性ＲＬＰレイヤを経由して移動局から第２のデータバイトセットを受信する、
パケットデータサービングノード（ＰＤＳＮ）と接続したポイントツーポイントプロトコル（ＰＰＰ）接続を経由してＰＤＳＮに第１のデータバイトセットを供給する、及び
ＰＰＰ接続を経由してＰＤＳＮに第２のデータバイトセットを供給する、
を具備するパケットデータサービスを提供する方法。
【請求項２７】
ＰＰＰ接続に第１のデータバイトセットを供給する前に、少なくとも１の完全なＨＤＬＣフレームに対応する第１のデータバイトセット中にある第３のデータバイトセットを認識するために第１のデータバイトセット中の１若しくはそれ以上の高水準データリンク制御（ＨＤＬＣ）フラッグキャラクタを使用する、及び
ＰＰＰ接続を経由して連続的にＰＤＳＮに第３のデータバイトセットを供給する、
をさらに具備する請求項２６の方法。
【請求項２８】
ＰＰＰ接続に第１のデータバイトセットを供給する前に、少なくとも１の完全なＨＤＬＣフレームに対応する第２のデータバイトセット中にある第３のデータバイトセットを認識するために第２のデータバイトセット中の１若しくはそれ以上の高水準データリンク制御（ＨＤＬＣ）フラッグキャラクタを使用する、及び
ＰＰＰ接続を経由して連続的にＰＤＳＮに第３のデータバイトセットを供給する、
をさらに具備する請求項２６の方法。
【請求項２９】
ＰＤＳＮと接続した第１の高水準データリンク制御（ＨＤＬＣ）接続を経由してＰＰＰ接続に第１のデータバイトセットを供給する、
ＰＤＳＮと接続した第２のＨＤＬＣ接続を経由してＰＰＰ接続に第２のデータバイトを供給する、
をさらに具備する請求項２６の方法。
【手続補正２】
【補正対象書類名】明細書
【補正対象項目名】００１３
【補正方法】変更
【補正の内容】
【００１３】
異なるサービスグレードを使用する複数のアプリケーションは、各アプリケーションに対して個別のポイントツーポイントプロトコル（ＰＰＰ）スタックを使用する１個のワイアレス装置においてサポートされるであろう。このアプローチは、いくつかの欠点を持っている。１個の移動局（ＭＳ）に関する複数のＰＰＰインスタンス(instances)をサポートすることは、ＭＳ及びパケットデータサービングノード（ＰＤＳＮ）の両者において大量のデータメモリを不必要に消費するであろう。
【手続補正３】
【補正対象書類名】明細書
【補正対象項目名】００２４
【補正方法】変更
【補正の内容】
【００２４】
図４は、インターネット４１６のようなパケットネットワークとの接続を有するあるイグゼンプラリワイアレス通信ネットワークを示す。ワイアレス通信ネットワークは、ＲＡＮ４１２及びＰＤＳＮ４１４を含む。ＲＡＮ４１２は、１若しくはそれ以上のワイアレス基地局（図示されていない）に接続されるセレクタ４０２を、さらに含む。ＲＡＮ４１２におけるセレクタ４０２は、一般に、図示されていない基地局コントローラ（ＢＳＣ）のサブシステムである。ＭＳに送られた、若しくはＭＳから受信された全てのワイアレスデータは、セレクタを経由して送られる。セレクタ４０２に加えて、ＲＡＮ４１２は、パケット制御機能（ＰＣＦ）４０４も含む。パケットデータサービスオプションに関して、セレクタは、ＰＣＦ４０４を経由してＭＳから受信されたパケットデータを送信する。ＰＣＦ４０４は、さらに制御プロセッサ４０６及びメモリ４１８を含む。
【手続補正４】
【補正対象書類名】明細書
【補正対象項目名】００２５
【補正方法】変更
【補正の内容】
【００２５】
メモリ４１８は、図１-２に示されたプロトコルレイヤを設置し、利用するために制御プロセッサ４０６を管理するコード若しくは指示を含む。メモリ４１８は、ＲＡＭメモリ、フラッシュメモリ、ＲＯＭメモリ、ＥＰＲＯＭメモリ、ＥＥＰＲＯＭメモリ、レジスタ、ハードディスク、脱着可能なディスク、ＣＤ−ＲＯＭ、若しくはいずれかの他の形式の記憶メディア若しくは本技術分野で知られているコンピュータで読み取り可能なメディアを含むことができる。
【手続補正５】
【補正対象書類名】明細書
【補正対象項目名】００３４
【補正方法】変更
【補正の内容】
【００３４】
図２で述べられたあるイグゼンプラリ実施例では、データのＨＤＬＣフレーム全体を１個のＨＤＬＣプロトコルレイヤ（図２の２１２）に供給するために、複数のＲＬＰ接続（図２の２１８及び２１６）を経由して受信されたデフレーマ（図２の２１４及び２２０）を、受信機は使用する。図６において、このデフレーミングは、ステップ６０４において実行される。ステップ６０６において、ＨＤＬＣプロトコルレイヤ（図２の２１２）は、送信機によって挿入され、各ＨＤＬＣフレームのＣＲＣをチェックするＨＤＬＣエスケープシーケンスを削除する。ステップ６０６において、誤ったＣＲＣを持っているいかなるＨＤＬＣフレームも、受信機により静かに削除される。結果としてのＰＰＰフレームは、その後、ＨＤＬＣプロトコルレイヤによってＰＰＰレイヤに供給される。ステップ６０８において、ＰＰＰレイヤは、ＰＰＰヘッダ及び送信機により行われたいずれの他の変更を削除して、受信したパケットをデカプセル化する。ステップ６０８においてまた、送信機が受信したパケットのＩＰヘッダを圧縮したならば（例えば、ＶＪヘッダ圧縮を使用して）、その後、ＩＰヘッダは、当初のサイズ及び内容に伸張される。デカプセル化されたパケットは、その後、ステップ６１０において送られる。ここまでに述べられた実施例は、ＩＰパケットを主にカプセル化することを説明したが、ＰＰＰ及びＨＤＬＣは、ＩＰＸ若しくはＬＣＰのような他のプロトコルについてパケットを送信するためにも使用できる。
【手続補正６】
【補正対象書類名】図面
【補正対象項目名】図１
【補正方法】変更
【補正の内容】
【図１】
2004531122.tif 000001
【手続補正７】
【補正対象書類名】図面
【補正対象項目名】図２
【補正方法】変更
【補正の内容】
【図２】
2004531122.tif 000002